(57)【要約】【課題】浴室１のミラー板２の後面にテレビ画像表示部３を配設する従来のものでは、ミラー板２に対向する壁面にスピーカを設置し、かつ操作用の有線式リモコンを設置する工事を合わせて行わなければならなかった。なお、この構成では音声がテレビ画像と反対側からするため違和感が生じる。【解決手段】テレビ画像表示部３のほかにミラー板２を強制振動させるスピーカユニット４を配設し、ミラー板２全体を振動板として機能させてテレビ音声を発音させるようにした。【選択図】  図１
2004222205.tif 000002
【特許請求の範囲】
【請求項１】
テレビ画像表示部がテレビ画像を表示した状態で、この表示されたテレビ画像を透過させる透過手段を備えたミラー板を、テレビ画像表示部の前方に配設すると共に、このミラー板を強制振動させ、ミラー板からテレビ音声を発音させるスピーカユニットをミラー板に取り付けたことを特徴とするテレビ画像表示装置。
【請求項２】
上記透過手段は、ミラー板の後面に被着された半透光性反射コーティング層であることを特徴とする請求項１記載のテレビ画像表示装置。
【請求項３】
テレビ画像表示部とミラー板との間に液晶シャッター板を配設したことを特徴とする請求項１または請求項２に記載のテレビ画像表示装置。
【請求項４】
上記ミラー板は浴室の壁面に取り付けられることを特徴とする請求項１から請求項３のいずれかに記載のテレビ画像表示装置。
【請求項５】
上記テレビ画面表示部の表示操作は、赤外線もしくは電波のいずれかを発信する無線式リモコンと、ミラー板の後方に配設された受信部とを用いて行うことを特徴とする請求項１から請求項４のいずれかに記載のテレビ画像表示装置。
【請求項６】
上記テレビ画面表示部の表示操作は、ミラー板の表面に貼着された透明なタッチセンサを用いて行うことを特徴とする請求項１から請求項４のいずれかに記載のテレビ画像表示装置。
【請求項７】
上記タッチセンサは、テレビ画面表示部の前方に位置して貼着され、テレビ画面が表示されている状態であっても、タッチすべき位置に対応する位置に表示操作に必要な文字または記号をテレビ画面表示部に表示させることを特徴とする請求項６記載のテレビ画像表示装置。
【請求項８】
上記テレビ画面表示部の表示操作のほか、給湯装置その他の作動制御も併せて行うことができることを特徴とする請求項５から請求項７のいずれかに記載のテレビ画像表示装置。
【発明の詳細な説明】
【０００１】
【発明の属する技術分野】
本発明は、浴室その他の鏡を配置する箇所に好適なテレビ画像表示装置に関する。
【０００２】
【従来の技術】
例えば入浴中や理容室もしくは美容室でサービスを受ける場合は、鏡に向かったまま比較的長時間を過ごさなければならない。このため入浴者等は退屈する場合がある。そこで、入浴中等にテレビ画像を見ることができれば退屈することがない。
【０００３】
特に浴室内でテレビ画像を見ることができるものとして、市販のテレビ受像器を格納することのできる筐体を、浴室の壁面を貫通するように設置し、その筐体の浴室内側をマジックミラーで水密に閉塞したものが知られている（例えば、特許文献１参照）。
【０００４】
【特許文献１】
特開２００１−３２７４２８号公報
【０００５】
【発明が解決しようとする課題】
上記特許文献１に記載されたものでは、音声はテレビ受像器から直接発音されるのではなく、テレビ受像器が取り付けられる壁面に対向する壁面、すなわちテレビ画像を鑑賞する際に後方に位置する壁面に取り付けられたスピーカから発音されるように構成されている。このため、防水性を備えた特殊なスピーカを公報の壁面に取り付けなければならず、また、テレビ画像を鑑賞する際、音声が後方から聞こえるという不自然な状態が発生する。
【０００６】
また、上述の特許文献１に記載されたものでは浴室内からテレビ受像器の生後を行うためには浴室内のリモコンを操作する必要がある。ところが、このリモコンは有線式のものであるため、テレビ受像器を収納する筐体を壁面に取り付け、スピーカを取り付け、さらにリモコンまでも取り付ける工事を行わなければならない。
【０００７】
そこで本発明は、上記の問題点に鑑み、このような従来の不具合を解消することのできるテレビ画像表示装置を提供することを課題とする。
【０００８】
【課題を解決するための手段】
上記課題を解決するために本発明によるテレビ画像表示装置は、テレビ画像表示部がテレビ画像を表示した状態で、この表示されたテレビ画像を透過させる透過手段を備えたミラー板を、テレビ画像表示部の前方に配設すると共に、このミラー板を強制振動させ、ミラー板からテレビ音声を発音させるスピーカユニットをミラー板に取り付けたことを特徴とする。
【０００９】
テレビ画像表示部がテレビ画像を表示していない状態ではミラー板は鏡として機能し、後方に配設したテレビ画像表示部は前方から見えない。テレビ画像を表示するとミラー板を透過して前方からテレビ画像を鑑賞することができる。また、音声はミラー板が振動板となって発音されるのでテレビ画像と同じ方向から音声を聞くことができる。
【００１０】
ところで、上記透過手段は、ミラー板の後面に被着された半透光性反射コーティング層とし、ミラー板をいわゆるマジックミラーにしてもよい。
【００１１】
さらには、テレビ画像表示部とミラー板との間に液晶シャッター板を配設すれば、テレビ画像が表示されていない状態でテレビ画像表示部を前方から完全に隠すことができる。
【００１２】
特に、スピーカユニットがミラー板の後面に取り付けられているので従来のもののようにスピーカを別途設置する必要がない。そのため、上記ミラー板を浴室の壁面に取り付けると、スピーカの防水を行う必要がない。
【００１３】
また、上記テレビ画面表示部の表示操作は、赤外線もしくは電波のいずれかを発信する無線式リモコンと、ミラー板の後方に配設された受信部とを用いて行うことができる。
【００１４】
あるいは、上記テレビ画面表示部の表示操作は、ミラー板の表面に貼着された透明なタッチセンサを用いて行うようにしてもよい。
【００１５】
なお、上記タッチセンサは、テレビ画面表示部の前方に位置して貼着され、テレビ画面が表示されている状態であっても、タッチすべき位置に対応する位置に表示操作に必要な文字または記号をテレビ画面表示部に表示させることができる。
【００１６】
さらに、上記テレビ画面表示部の表示操作のほか、給湯装置その他の作動制御も併せて行うようにしてもよい。
【００１７】
【発明の実施の形態】
図１および図２を参照して、１は浴室である。この浴室１内の壁面にはミラー板２が取り付けられている。そして、このミラー板２の後面には液晶式のモニタ（テレビ画像表示部）３と１対のスピーカユニット４とが取り付けられている。
【００１８】
このモニタ３はバックライトを備えており、テレビ画像を表示する際にはバックライトが点灯する。また、スピーカユニット４はムービングコイルを備えた駆動機構が内蔵されており、音声信号が入力されるとムービングコイルが軸心方向に振動し、ミラー板２を強制振動させるものである。なお、ミラー板２は図２に示すように、浴室１の壁材１１に中空のゴム製パッキン１２を介して固定されている。このパッキン１２を介してミラー板２を固定することにより、ミラー板２の後側が水密に保たれるばかりでなく、スピーカユニット４によりミラー板２が強制振動された際に、ミラー板２の周縁で振動が減衰しないようにした。
【００１９】
ミラー板２は透明なガラス板で構成されており、後面２１には半透光性反射コーティング層を被着させた。鏡はガラス板の表面に銀メッキを施して製造するが、このミラー板２の後面２１に銀メッキする際にはメッキ厚を調節して、銀メッキ後に光線を透過できるようにし、いわゆるマジックミラーとした。
【００２０】
このため、モニタ３のバックライトが消灯している状態では、浴室内の光は後面２１の半透光性反射コーティング層で反射され、ミラー板２は鏡として機能する。そして、モニタ３のバックライトが点灯すると、モニタ３からの光が半透光性反射コーティング層を透過して前方へ到達するので、ミラー板２の前方からモニタ３のテレビ画像を鑑賞することができる。
【００２１】
なお、本実施の形態ではモニタ３の前面に液晶シャッター板３１を配設した。この液晶シャッター板３１は非通電状態ではまったく光を透過しないが通電することにより光を透過するものである。このように液晶シャッター板３１を設けることにより、モニタ３が作動していない状態で液晶シャッター板３１を非透過状態にしてモニタ３が前方からより確実に識別されないようにした。
【００２２】
また、本実施の形態では１対のスピーカユニット４を同一のミラー板２に取り付けたが、本実施の形態のようにミラー板２の側方に別途のミラー板２’が配設されている場合には、一方のスピーカユニット４をこのミラー板２’に取り付け、ミラー板２の振動とミラー板２’の振動とが相互に干渉しないようにしてステレオ効果が確実に発揮できるようにしてもよい。なお、液晶シャッター板３１を含むモニタ３およびスピーカユニット４は制御装置６に接続されており、この制御装置６から液晶シャッター板３１のオンオフ信号、画像信号、および音声信号が各々に出力される。
【００２３】
ところで、ミラー板２の前面２２にはタッチセンサが貼着されている。このタッチセンサはモニタ３の前面に位置する範囲と、ミラー板２の右下隅のスイッチ部５とに貼着されている。
【００２４】
このスイッチ部５にはスイッチを表すマーク５１が印刷されている。マーク５１が押されるとスイッチ部５に貼着されているタッチセンサがオンされ、その信号は制御装置６に入力される。すると制御装置６は液晶シャッター板３１を透明にすると共にモニタ３にテレビ画像を表示させ、さらにスピーカユニット４に音声信号を出力する。これにより、ミラー板２の前面側からみるとミラー板２の略中央部分にテレビ画像が表示され、ミラー板２全体からテレビ音声が発音される。
【００２５】
つぎにテレビ画像が表示されている部分を押すと、その部分に貼着されているタッチセンサがオンになり、制御装置６はテレビ画像に重畳させて所定の文字や記号をモニタ３に表示させる。本実施の形態では、風呂リモコンとしての機能も持たせているため、最初にテレビ画面をタッチするとモニタ３には「テレビ」と「リモコン」の文字が表示される。
【００２６】
テレビのチャンネルを変えたい場合や音量を増減したい場合には「テレビ」に相当する部分をタッチする。すると、つぎに「チャンネル」と「ボリューム」の文字が表示される。チャンネルを変える場合には「チャンネル」をタッチする。「ボリューム」をタッチした場合も、その後は適宜必要な文字が表示され、その都度希望する部分をタッチしテレビ画像や音量の制御を行う。また、最初に「リモコン」をタッチした場合も適宜表示される文字が切り替わり、給湯温度や追い炊き等の給湯装置の作動が制御される。
【００２７】
ところで、上記実施の形態では、モニタ３に表示される文字をタッチする毎に表示される文字が切り替わっていくので、従来のリモコンの操作になれている者にとっては違和感を感じる場合がある。その場合には、図３に示すように、モニタ３の下方に従来のリモコンと同様の画像が表示される表示エリア７を設ければよい。この表示エリア７の後面には従来のリモコンと同様の画像がプリントされたフィルムとバックライトとが配設されている。
【００２８】
マーク５１を押すとモニタ３のバックライトではなく表示エリア７のバックライトが点灯する。なお、タッチセンサはモニタ３の前面ではなく表示エリア７の前面に貼着されている。表示されたリモコンの画像中の各種ボタンに相当する位置を押せばタッチセンサのその部分がオンして制御装置６に入力される。たとえば、テレビオンスイッチの位置をタッチすればその時点で初めて制御装置６はモニタ３とスピーカユニット４とを作動させる。
【００２９】
また、上記各実施の形態では、ミラー板２の表面２２にタッチセンサを貼着する形式のものを説明したが、図４に示すように、別体のリモコン８を用いてもよい。このリモコン８は各信号のパターンで変調した赤外線を発信するものであり、発信された赤外線はモニタ３の近傍に配設された受光部８１に受光される。受光部８１では変調された信号成分を分離して制御装置６に入力する。たとえばリモコン８のボタン中、テレビオンボタンをオンすれば、制御装置６はモニタ３およびスピーカユニット４を作動させ、テレビ画像を表示させると共にミラー板２からテレビ音声を発音させる。
【００３０】
この実施の形態では、リモコン８は風呂リモコンとしての機能も付加されており、また赤外線式に限定されるものではなく電波を媒体にして信号を発信してもよい。
【００３１】
また、上記各実施の形態では浴室１にテレビ画像表示装置を配設した場合について説明したが、理容室や美容室のように鏡の前に比較的長時間居なければならない場所に設置することが望ましい。
【００３２】
【発明の効果】
以上の説明から明らかなように、本発明は、ミラー板の後面側にテレビ画像表示部およびスピーカユニットを配設したのでミラー板の後面の水密を確保するだけで他の箇所にスピーカ等を設ける必要がない。また、テレビの音声がテレビ画像側から発音されるので、テレビ画像を鑑賞中に違和感が生じない。
【図面の簡単な説明】
【図１】本発明の一実施の形態の構成を示す図
【図２】ＩＩ−ＩＩ断面図
【図３】第２の実施の形態を示す図
【図４】第３の実施の形態を示す図
【符号の説明】
１  浴室
２  ミラー板
３  モニタ
４  スピーカユニット
５  スイッチ部
６  制御装置
７  表示エリア
８  リモコン
【図１】
2004222205.tif 000003
【図２】
2004222205.tif 000004
【図３】
2004222205.tif 000005
【図４】
2004222205.tif 000006